(57)【要約】【課題】単な構造で中央構造物の上側に位置する遊技板の領域のデザイン画の照明を行う。【解決手段】前記センター役物２の前記覆い２１より内側に設けられた光源からの光が前記センター役物２の前記覆い２１の外周面における前記透明部分６０２を透過して前記センター役物２の覆い２１の上側に位置する遊技板３００の領域３０４に照射されるので、簡単な構造でセンター役物２の上側に位置する遊技板３００の領域３０４の照明を行うことができ、ここに表示される人物のデザイン画３０５、３０６の意匠効果を高めることができる。【選択図】図６
2010259709.tif 000002
【特許請求の範囲】
【請求項１】
板状に形成された基材の前面に樹脂製のシートが貼り付けられて形成され、当該シートの前面の上部にデザイン画が印刷され、当該シートの前面側に遊技球が落下する遊技領域を有する遊技板と、
前記遊技板に密着してネジ止めされる台板を外周に有するとともに、前記遊技板の前面側の上部に配置して遊技球を外周に流下するように誘導する上側覆いを有し、当該上側覆いの前記デザイン画に近接する部分が透明性を有する透明部分で形成され、前記上側覆いの前記透明部分以外の部分が不透明の部分で形成された中央構造物と、
前記中央構造物の前記上側覆いより内側に設けられ、前記透明部分に光を照射する光源と、
を備えることを特徴とする遊技機。
【請求項２】
前記遊技球を発射する発射部と、当該発射部により発射された前記遊技球を遊技板の手前側から見て前記遊技領域の左上側に誘導するレールとを更に備え、
前記デザイン画は前記遊技領域の手前側から見た左上側に対応する前記シートの部分に印刷されていることを特徴とする請求項１に記載の遊技機。
【請求項３】
前記上側覆いの外周面における前記透明部分は、前記遊技板の前面から前記遊技球の半径より短い位置の間に形成されていることを特徴とする請求項１または２に記載の遊技機。
【請求項４】
前記上側覆いの透明部分の外周側には、前記台板を有し、当該台板は、前記透明部分から遊技球の半径より長い位置まで形成され、前記上側覆いの透明部分は、前記台板の前面から遊技球の半径より短い位置の間に形成されていることを特徴とする請求項１または２に記載の遊技機。
【請求項５】
前記遊技板の中央に設けられ、人物またはキャラクタの画像を表示する画像表示装置を更に備え、
前記中央構造物は、前記画像表示装置を囲んで配置し、
前記デザイン画には、前記画像表示装置に表示される人物またはキャラクタが採用されていることを特徴とする請求項１乃至４のいずれかに記載の遊技機。
【請求項６】
前記中央構造物は、前記光源からの光を前記遊技板の手前側に向けて出射する光学構造を有し、前記光源が前記透明部分に照射する光は、前記光源からの光の一部であることを特徴とする請求項１乃至５のいずれかに記載の遊技機。
【請求項７】
前記光源は、印刷配線板に実装され、当該印刷配線板は、前記光源を実装した面を上方に向けた状態で前記透明部分の下側に配置していることを特徴とする請求項１乃至６のいずれかに記載の遊技機。
【発明の詳細な説明】
【技術分野】
【０００１】
本発明は遊技板に設けられた中央構造物の覆いによって遊技球の誘導を行う遊技機に関する。
【背景技術】
【０００２】
従来、パチンコ機と呼ばれる遊技機は、遊技球が球送り装置により１球ずつ発射レール上に送り出され、送り出された遊技球が打球発射装置に打ち出されて遊技盤の案内レールの外レールに沿って遊技領域に導かれ、この遊技領域に導かれた遊技球が入賞口に入賞することで所定数の賞球を払い出すようになっている。
【０００３】
近年実用化されたパチンコ機は、例えば特許文献１に記載のように、遊技領域が形成された遊技盤と、前記遊技領域のほぼ中央に配置される中央構造物としてのセンター役物と、前記センター役物の下方に配置される始動入球装置と、前記センター役物の背面側に配置され、前記始動入球装置に遊技球が受け入れられることで、図柄の変動表示を行う可変表示装置を備えている。
【０００４】
センター役物には、例えば可変表示装置や俗にクルーンと呼ばれる振分装置等、他の遊技部材に比べれば大型の中央装置が配置されることが多い。また、従来、セル板と呼ばれる遊技板には、前述のセンター役物の上側の位置に演出に登場するキャラクタや人物のデザイン画を印刷表示したものがある。ここで近年、可変表示装置を用いた画像による演出が高度化してきており、これに対応して可変表示装置が大型化し、センター役物も大型化してきている。
【先行技術文献】
【特許文献】
【０００５】
【特許文献１】特開２００９−４５４９４号公報（段落００１１〜００１４、図１、図２）
【発明の概要】
【発明が解決しようとする課題】
【０００６】
上記のように従来のパチンコ機においては、センター役物を大型化した場合、センター役物の上側に位置する遊技板の領域は、遊技盤より上側に配置する枠によって陰になる割合が高くなり、ここに表示されたキャラクタや人物のデザイン画の見栄えが悪かった。
【０００７】
本発明は、上記の問題に鑑み、簡単な構造で中央構造物の上側に位置する遊技板の領域のデザイン画の照明を行うことができる遊技機を提供することを目的とする。
【課題を解決するための手段】
【０００８】
請求項１に記載の遊技機は、板状に形成された基材の前面に樹脂製のシートが貼り付けられて形成され、当該シートの前面の上部にデザイン画が印刷され、当該シートの前面側に遊技球が落下する遊技領域を有する遊技板と、前記遊技板に密着してネジ止めされる台板を外周に有するとともに、前記遊技板の前面側の上部に配置して遊技球を外周に流下するように誘導する上側覆いを有し、当該上側覆いの前記デザイン画に近接する部分が透明性を有する透明部分で形成され、前記上側覆いの前記透明部分以外の部分が不透明の部分で形成された中央構造物と、前記中央構造物の前記上側覆いより内側に設けられ、前記透明部分に光を照射する光源と、を備えることを特徴とする。
前記遊技球を発射する発射部と、当該発射部により発射された前記遊技球を遊技板の手前側から見て前記遊技領域の左上側に誘導するレールとを更に備え、前記デザイン画は前記遊技領域の手前側から見た左上側に対応する前記シートの部分に印刷されていることを特徴とする（請求項２）。
前記上側覆いの外周面における前記透明部分は、前記遊技板の前面から前記遊技球の半径より短い位置の間に形成されていることを特徴とする（請求項３）。
前記上側覆いの透明部分の外周側には、前記台板を有し、当該台板は、前記透明部分から遊技球の半径より長い位置まで形成され、前記上側覆いの透明部分は、前記台板の前面から遊技球の半径より短い位置の間に形成されていることを特徴とする（請求項４）。
前記遊技板の中央に設けられ、人物またはキャラクタの画像を表示する画像表示装置を更に備え、前記中央構造物は、前記画像表示装置を囲んで配置し、前記デザイン画には、前記画像表示装置に表示される人物またはキャラクタが採用されていることを特徴とする（請求項５）。
中央構造物は、前記光源からの光を前記遊技板の手前側に向けて出射する光学構造を有し、前記光源が前記透明部分に照射する光は、前記光源からの光の一部であることを特徴とする（請求項６）。
前記光源は、印刷配線板に実装され、当該印刷配線板は、前記光源を実装した面を上方に向けた状態で前記透明部分の下側に配置していることを特徴とする（請求項７）。
【０００９】
いずれの場合にも、前記中央構造物の前記上側覆いより内側に設けられた光源からの光が当該上側覆いの前記透明部分を透過して前記中央構造物の上側に位置する遊技板の領域のデザイン画に照射されるので、簡単な構造で中央構造物の上側に位置する遊技板の領域のデザイン画の照明を行うことができる。
【００１０】
従来の遊技機では、従来のパチンコ機においては、中央構造物を大型化した場合、中央構造物の上側に位置する遊技板の領域は、遊技盤より上側に配置する枠によって陰になる割合が高くなり、ここに表示されたキャラクタや人物のデザイン画の見栄えが悪かった。
これに対し、本発明では簡単な構造で中央構造物の上側に位置する遊技板の領域のデザイン画の照明を行うことができるので、少ないコストで中央構造物の上側に位置する遊技板の領域に描かれたキャラクタや人物のデザイン画の意匠効果を高めることができる。
【発明の効果】
【００１１】
本発明によれば、簡単な構造で中央構造物の上側に位置する遊技板の領域のデザイン画の照明を行うことができるので、少ないコストで中央構造物の上側に位置する遊技板の領域に描かれたキャラクタや人物のデザイン画の意匠効果を高めることができる。
【図面の簡単な説明】
【００１２】
【図１】本発明に係る第１の実施形態の遊技機の構成例を示した正面図である。
【図２】本発明に係る第１の実施形態の制御手段のブロック図である。
【図３】本発明に係る第１の実施形態の遊技盤を示す正面図である。
【図４】本発明に係る第１の実施形態の遊技盤を示す斜視図である。
【図５】本発明に係る第１の実施形態の演出役物の斜視図である。
【図６】本発明に係る第１の実施形態の遊技板の上部を示す斜視図である。
【図７】本発明に係る第１の実施形態の覆いの左上傾斜壁部及び透明部材を示す斜視図である。
【図８】本発明に係る第２の実施形態の透明部及びその周辺部を示す断面図ある。
【図９】本発明に係る第２の実施形態の透明部及びその周辺部を示す断面図である。
【発明を実施するための形態】
【００１３】
以下、本発明の第１の実施形態について図面を参照しながら具体的に説明する。
【００１４】
図１は  遊技機の構成例を示した正面図である。
【００１５】
初めに遊技機全体の説明をする。
図１において、遊技機１は、機枠又は機体として所定の外郭方形枠サイズに構成された固定保持用の外枠１１と、この外枠１１の前側に設けられ、この外枠１１に合わせて方形枠サイズに構成された前枠１２とを備えている。
【００１６】
前枠１２は、正面左側上下部に配設された開閉連結支持機構１３ａ、１３ｂを介して外枠１１に開閉（片持ち横開き）可能に組付けるとともに、正面右側内部に配設された施錠装置１４を利用して閉鎖状態に保持される。
【００１７】
前枠１２の正面側には、前枠１２の前側面域に合わせた方形状のガラス扉１５及び受け皿ユニット１６が共に横開き開閉及び着脱が可能に組付けられており、施錠装置１４および図示しないロック機構を利用して前枠１２の前面を覆う閉止状態で保持される。
【００１８】
受け皿ユニット１６には、球払出口から払い出された遊技球を貯留して整列させる球皿部１７が設けられる。
【００１９】
前枠１２には、パチンコゲームを展開し得る遊技盤１０１が、着脱交換可能にセット保持されている。遊技盤１０１は、前面の遊技領域１０３を前記ガラス扉１５の正面に臨ませている。
【００２０】
前枠１２の前記ガラス扉１５の下方位置には、発射部２９２（図２参照）を備える操作ハンドル１１３が配置され、発射部２９２の駆動によって発射された遊技球がレール１０２ａ、１０２ｂ間を上昇して遊技盤１０１の上部位置に達した後、遊技領域１０３内を落下する。遊技領域１０３には、遊技球を不特定の方向に向けて落下させるための複数の釘に加え、遊技球の落下方向を変化させる風車や入球口が配置されている。
【００２１】
遊技領域１０３の中央部分には中央構造物としてのセンター役物２が配置されている。センター役物２には、例えば液晶表示器（ＬＣＤ）を用いた図柄表示部１０４が配置されている。
【００２２】
図柄表示部１０４の下方には遊技球を受入れ可能な第１始動口１０５が配置され、第１始動口１０５の下方には一対の可動片１２０ａ（図３参照）を有する第２始動口１２０が配置されている。第２始動口１２０は一対の可動片１２０ａ（図３参照）が閉状態のときに遊技球の受入れを困難にし、開状態のときに第１始動口１０５よりも遊技球の受入れを容易にする。
【００２３】
図柄表示部１０４の左側には、遊技球の通過を検出し、第２始動口１２０を一定時間だけ開放させる普通図柄の抽選を行うための入賞ゲート１０６が配置されている。入賞ゲート１０６の下方位置等には、遊技球が入球したときに所定数（例えば１０個）の賞球払い出しの権利を獲得する普通入賞口１０７ａ、１０７ｂ、１０７ｃが配置されている。遊技領域１０３の最下部にはどの入球口にも入球しなかった遊技球を回収する回収口１０８が配置されている。
【００２４】
図柄表示部１０４の右下には、遊技球が入球したときに所定数（例えば１０個）の賞球払い出しの権利を獲得する普通入賞口１０７ｄが配置されている。
【００２５】
さらに、普通入賞口１０７ｄの下には、主制御基板２０１（図２参照）に設けられた第１特別図柄抽選手段による抽選結果を表示する第１特別図柄表示器８２（図３参照）、及び主制御基板２０１（図２参照）に設けられた第２特別図柄抽選手段による抽選結果を表示する第２特別図柄表示器８３（図３参照）が配置されている。これら両表示器８２、８３には特別図柄が変動表示されていると共に、所定時間経過後に所定の図柄が停止表示され、始動口への遊技球の入球を契機とする抽選の結果が表示されている。両表示器８２、８３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００２６】
特別図柄の変動表示中に第１始動口１０５、あるいは第２始動口１２０に遊技球が入球すると、当該入球によって得られる特別図柄の変動表示の権利（以下「保留球」という）が留保されている。この留保された保留球の数は第１特別図柄保留表示器８４（図３参照）及び第２特別図柄保留表示器８５（図３参照）に表示されている。
【００２７】
特別図柄の変動表示中に入賞ゲート１０６に遊技球が入球すると、普通図柄抽選手段による抽選が行われるが、この抽選結果を表示する普通図柄表示器８１（図３参照）が上記両表示器８２、８３の付近に配置されている。普通図柄の変動表示中に入賞ゲート１０６に遊技球が入球することによって得られる普通図柄の変動表示の権利、すなわち保留球の数が普通図柄保留表示器８６（図３参照）に表示されている。
【００２８】
図柄表示部１０４は第１始動口１０５、または第２始動口１２０に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域１０３の下方に位置する大入賞口ユニット９における開閉扉９１が一定時間、開放する動作を所定回数（例えば１５回）繰り返し、入球した遊技球に対応する賞球が払い出されている。
図柄表示部１０４には後述の前記遊技板３００（図３参照）に印刷された人物のデザイン画３０５、３０６と同じ人物（キャラクタ）の画像が各種演出時に表示される。
【００２９】
大入賞口ユニット９は遊技盤１０１に設けられた大入賞口９３を開閉する開閉扉９１を開閉自在に支持し、開閉扉９１が大入賞口９３の前面（表面）側に位置した状態で、遊技盤１０１の背面に設置されている。開閉扉９１は通常時には閉鎖して大入賞口９３を閉塞しており、大入賞口９３に遊技球が入球することを阻止している。大当たり遊技が開始されたときには、大入賞口開閉ソレノイド４３への通電により開閉扉９１が開放して大入賞口９３を開放させる。大入賞口９３の開放時には、開閉扉９１が遊技球を大入賞口９３内に導くための受け皿として機能するため、大入賞口９３に遊技球が入球可能となる。
【００３０】
また、前記前枠１２の上側と下側には複数のライト１１２を備えた演出ライト１１１（ランプユニット）が設置されている。
【００３１】
前枠１２の下側には、受け皿ユニット１６が設置されている他、前述の操作ハンドル１１３が配置されている。操作ハンドル１１３は遊技盤１０１から遊技者側へ突出し、上記発射部の駆動によって遊技球を発射させる際に遊技者によって操作されている。
【００３２】
操作ハンドル１１３は上記発射部を駆動させて遊技球を発射させる発射指示部材１１４を備えている。発射指示部材１１４は操作ハンドル１１３の外周部に、遊技者から見て右回りに回転可能に設けられ、遊技者によって直接操作されているときに発射部に遊技球発射の指示を与える。操作ハンドル１１３には遊技者が発射指示部材１１４を直接操作していることを検出するセンサ等が内蔵されている。
【００３３】
センター役物２における図柄表示部１０４の上側及び側方（図１においては紙面右側）には、演出用の役物（以下、「演出役物」という）１１５、１１６が配置されている。演出役物１１５、１１６は例えばモータによって駆動されるようになっている。
【００３４】
前枠１２の下側にはまた、遊技者による操作を受け付けるチャンスボタン１１７が配置されている。チャンスボタン１１７の操作は例えば遊技中における特定のリーチ演出に際し、チャンスボタン１１７の操作を促すガイダンスが表示されている間有効となる。
【００３５】
前枠１２には、演出効果音、または不正を知らしめる音声を出力するスピーカ２７７（図２参照）が組み込まれている。スピーカ２７７は高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
【００３６】
（制御手段の内部構成）
図２に遊技機１の制御手段の内部構成を示すが、ここに示すように制御手段２００は主に主制御基板２０１、副制御基板２０２、賞球制御基板２０３、及びランプ制御基板２０６の複数の制御基板から構成されている。
【００３７】
主制御基板２０１は遊技機１の遊技に関する基本動作を制御し、ＲＯＭ２０１ｂに記憶されたプログラムに基づき、遊技内容の進行に伴う基本処理を実行するＣＰＵ２０１ａと、ＣＰＵ２０１ａの演算処理時におけるデータのワークエリアとして機能するＲＡＭ２０１ｃ等を備える。主制御基板２０１は第１始動口１０５、もしくは第２始動口１２０への遊技球の入球を契機として、大当たり抽選を行うと共に、その抽選結果に基づいてＲＯＭ２０１ｂに記憶されている演出に係わるコマンドの選択を行う。
【００３８】
主制御基板２０１の入力側には、第１始動口１０５に遊技球が入球したことを検出する第１始動口検出部２２１と、第２始動口１２０に遊技球が入球したことを検出する第２始動口検出部２２５と、入賞ゲート１０６を遊技球が通過したことを検出するゲート検出部２２２と、普通入賞口１０７ａ、１０７ｂ、１０７ｃに入球した遊技球を検出する普通入賞口検出部２２３と、大入賞口ユニット９に入球した遊技球を検出する大入賞口検出部２２４とが接続されている。
【００３９】
主制御基板２０１の出力側には役物作動装置２３１が接続されている。第１の実施形態においては上記役物作動装置２３１を、開閉扉９１を開閉させる大入賞口開閉ソレノイド（駆動装置）と、第２始動口１２０を開閉させる第２始動口開閉ソレノイドとによって構成している。
【００４０】
役物作動装置２３１は主制御基板２０１によって制御され、大当たり遊技（長当たり遊技、短当たり遊技）時に大入賞口開閉ソレノイド９７に通電して開閉扉９１を開放させ、また上記普通図柄の当選によって第２始動口開閉ソレノイドに通電して第２始動口１２０を開閉する。
【００４１】
副制御基板２０２の入力側には上記のチャンスボタン１１７が操作されたことを検出するチャンスボタン検出部２２０が接続されている。この副制御基板２０２は主に遊技中における演出を制御し、主制御基板２０１より送信されているコマンドに基づいて演出の抽選及び演出処理を実行するＣＰＵ２０２ａと、プログラム及び過去の演出パターンを記憶するＲＯＭ２０２ｂと、ＣＰＵ２０２ａの演算処理時におけるデータのワークエリアとして機能するＲＡＭ２０２ｃ等を備えている。
【００４２】
副制御基板２０２は主制御基板２０１より送信されている演出に係るコマンドを受信すると、このコマンドに基づいて抽選を行い、演出背景パターン、リーチ演出パターン、登場キャラクタ等の演出を確定すると共に、当該確定した演出の制御を行う。副制御基板２０２の出力側には図柄表示部１０４が接続され、抽選によって決定された内容の通りに図柄表示部１０４において装飾図柄演出を展開する。副制御基板２０２には図柄表示部１０４に表示させる画像データを書き込むＶＲＡＭ２０２ｄも備えられている。
【００４３】
通常時には、ＣＰＵ２０２ａがＲＯＭ２０２ｂに記憶されたプログラムを読み込んで、背景画像表示処理、図柄画像表示及び変動処理、キャラクタ画像表示処理など各種画像処理を実行し、必要な画像データをＲＯＭ２０２ｂから読み出してＶＲＡＭ２０２ｄに書き込む。背景画像、図柄画像、キャラクタ画像は表示画面上において図柄表示部１０４に重畳表示されている。すなわち、図柄画像やキャラクタ画像は背景画像よりも手前に見えるように表示されている。このとき、同一位置に背景画像と図柄画像が重なる場合、Ｚバッファ法等、周知の陰面消去法により各画像データのＺバッファのＺ値を参照することで、図柄画像を優先してＶＲＡＭ２０２ｄに記憶させる。
【００４４】
副制御基板２０２の出力側にはスピーカ２７７が接続され、副制御基板２０２において確定した通りに音声を出力する。副制御基板２０２の出力側にはまた、ランプ２６２、演出ライト１１１、及び演出役物作動装置２５４を制御するランプ制御基板２０６が接続されている。演出役物作動装置２５４は演出役物１１５，１１６等の、演出用の役物を作動させるモータ等によって構成されている。ランプ制御基板２０６は副制御基板２０２より送信されたコマンドに基づき、プログラムを作動させて演出処理を実行するＣＰＵ２０６ａと、各種演出パターンデータを記憶するＲＯＭ２０６ｂと、ＣＰＵ２０６ａの演算処理時におけるデータのワークエリアとして機能するＲＡＭ２０６ｃ等を備えている。
【００４５】
ランプ制御基板２０６は遊技盤１０１や台枠等に設けられている各種ランプ２６２に対する点灯制御等を行う他、演出ライト１１１における複数のライト１１２に対する点灯制御等を行い、各ライト１１２からの光の照射方向を変更するためにモータに対する駆動制御等を行う。ランプ制御基板２０６はまた、副制御基板２０２より送信されたコマンドに基づき、演出役物１１５、１１６を動作させる各種モータに対する駆動制御等を行う。
【００４６】
主制御基板２０１には賞球制御基板２０３が双方向に送信可能に接続されている。賞球制御基板２０３はＲＯＭ２０３ｂに記憶されたプログラムを作動させて賞球制御の処理を実行するＣＰＵ２０３ａと、ＣＰＵ２０３ａの演算処理時におけるデータのワークエリアとして機能するＲＡＭ２０３ｃ等を備え、ＲＯＭ２０３ｂに記憶されたプログラムに基づき、賞球制御を行う。
【００４７】
賞球制御基板２０３は接続されている払出部２９１に対して入球時の賞球数を払い出す制御を行う。また発射部２９２に対する遊技球の発射の操作を検出し、遊技球の発射を制御する。払出部２９１は遊技球の貯留部から所定数を払い出すためのモータ等からなる。
【００４８】
賞球制御基板２０３はこの払出部２９１に対して、各入球口（第１始動口１０５、第２始動口１２０、普通入賞口１０７ａ、１０７ｂ、１０７ｃ、１０７ｄ、大入賞口９３）に入球した遊技球に対応した賞球数を払い出す制御を行う。発射部２９２は遊技者による遊技操作を検出するセンサ（図示しない）と、遊技球を発射させる図示しないソレノイド等を備え、遊技のための遊技球を発射する。賞球制御基板２０３は発射部２９２のセンサにより遊技操作を検出すると、検出された遊技操作に対応してソレノイド等を駆動させて遊技球を間欠的に発射させ、遊技盤１０１の遊技領域１０３に遊技球を送り出す。
【００４９】
図３及び図４は遊技盤１０１を示す正面図及び斜視図である。
【００５０】
図３及び図４において、遊技盤１０１は、合板の前面に樹脂シートを貼り付けた構造の遊技板３００にセンター役物２等の各種所物や遊技釘３０３を配置したものである。
【００５１】
遊技盤１０１の遊技領域１０３の中央には、センター役物２が設けられている。
【００５２】
センター役物２は、前記遊技領域１０３の中央に設けられ、開口部２２が形成された覆い２１を主要構成とする前側ユニット３を有し、当該開口部２２の背面側に図柄表示部１０４が配置されている。図柄表示部１０４の開口部２２から露出する部分は、画面４００となっている。覆い２１の外周の一部には前記遊技板３００に密着してネジ止めされる台板６１７を有する。
【００５３】
センター役物２の覆い２１の上側中央の若干左寄りには、曲面部２３が設けられており、遊技領域１０３は、この曲面部２３から左右に分岐して左打ち用の遊技領域３０１と勢いが付きすぎた遊技球を減速させて回収口１０８に導く線路３０２に分けられている。
【００５４】
左打ち用の遊技領域３０１には、多数本の遊技釘３０３とともに、入賞ゲート１０６、普通入賞口１０７ａ、１０７ｂ、１０７ｃ、風車１０９、第１始動口１０５、第２始動口１２０、大入賞口ユニット９等が配置されている。
【００５５】
一方、覆い２１の左側壁３１には、左打ち用の遊技領域３０１を落下する遊技球が付近の遊技釘３０３の誘導により比較的低い確率で突入するワープ経路３２が設けられている。
【００５６】
覆い２１の下壁３３の正面側の上面には、ワープ経路３２を通過した遊技球が転がるステージ面３４が形成されている。ステージ面３４の中央には遊技球を第１始動口１０５に誘導する誘導孔３５の入り口３５ａ（図４参照）が設けられている。誘導孔３５の出口３５ｂは、第１始動口１０５の上方に位置する。ステージ面３４の手前には、ステージ面３４から転落した遊技球が転がるステージ面３６が形成されている。ステージ面３６の中央には、遊技球を第１始動口１０５に誘導する誘導溝３７が形成されている。
【００５７】
覆い２１の左側壁３１、下壁３３、右側壁３８、上壁３９により囲まれる領域は、上述の開口部２２となっている。
【００５８】
遊技球は、通常の遊技状態で、曲面部２３よりも左下側に落下して左打ち用の遊技領域３０１に導かれ、遊技釘３０３や風車１０９に衝突しながら、あるものは、ワープ経路３２、ステージ面３４及び誘導孔３５を通過し第１始動口１０５に落下し、また、あるものは、ステージ面３６及び誘導溝３７を通過し第１始動口１０５に落下し、また、あるものは、ワープ経路３２を介さず直接下方に落下し、一般入賞具２０または第１始動口１０５に入賞し、また、あるものは、アウト球として回収口１０８に集合し、アウト球通路孔を通って遊技盤３の裏面側に排出される。
【００５９】
図５は図４に示した演出役物１１５の斜視図である。
【００６０】
図５において、演出役物１１５は、本体ケース５０１と、前側装飾部５０２と、上面左前側透明板５０３と、上面左後側透明板５０４と、上面右前側透明板５０５と、上面右後側透明板５０６と、左右のランプ基板５０７、５０８と、左右の駆動機構５０９、５１０と、複数の円柱５１１、５１２、５１３、５１４、５１５、５１６、５１７、５１８、５１９と、可動支持部５２１、５２２、５２３、５２４、５２５、５２６、５２７、５２８、５２９と、ハート型可動部５３１、５３２、５３３、５３４、５３５、５３６、５３７、５３８、５３９とを備えている。
【００６１】
本体ケース５０１は、上面及び背面側に開放した形状になっている。本体ケース５０１の内部には、左右の駆動機構５０９、５１０が配置される。駆動機構５０９、５１０の上側には左右のランプ基板５０７、５０８がそれぞれ配置される。左のランプ基板５０７の上面には発光ダイオード５４１、５４２、５４３、５４４が設けられている。右のランプ基板５０８の上面には発光ダイオード５４５、５４６、５４７、５４８、５４９が設けられている。
【００６２】
左のランプ基板５０７の上側は上面左前側透明板５０３及び上面左後側透明板５０４によって覆われる。
【００６３】
右のランプ基板５０８の上側は上面右前側透明板５０５及び上面右後側透明板５０６によって覆われる。
【００６４】
発光ダイオード５４１、５４２、５４３、５４４の真上に対応する上面左前側透明板５０３の上面の位置には、凸レンズ面５５１、５５２、５５３、５５４が形成されている。
【００６５】
発光ダイオード５４５、５４６、５４７、５４８、５４９の真上に対応する上面右前側透明板５０５の上面の位置には、凸レンズ面５５５、５５６、５５７、５５８、５５９が形成されている。
【００６６】
上面左前側透明板５０３及び上面左後側透明板５０４の間には、複数の円柱５１１、５１２、５１３、５１４とこれに対応する可動支持部５２１、５２２、５２３、５２４がそれぞれ挿入される複数の開孔部５６１、５６２、５６３、５６４が形成されている。
【００６７】
上面右前側透明板５０５及び上面右後側透明板５０６の間には、複数の円柱５１５、５１６、５１７、５１８、５１９とこれに対応する可動支持部５２５、５２６、５２７、５２８、５２９がそれぞれ挿入される複数の開孔部５６５、５６６、５６７、５６８、５６９が形成されている。
【００６８】
可動支持部５２１、５２２、５２３、５２４、５２５、５２６、５２７、５２８、５２９は、左右の駆動機構５０９、５１０による複数の複数の円柱５１１、５１２、５１３、５１４、５１５、５１６、５１７、５１８、５１９に対して摺動する。可動支持部５２１、５２２、５２３、５２４、５２５、５２６、５２７、５２８、５２９の前側上部には、ハート型可動部５３１、５３２、５３３、５３４、５３５、５３６、５３７、５３８、５３９が取り付けられている。
【００６９】
発光ダイオード５４１、５４２、５４３、５４４、５４５、５４６、５４７、５４８、５４９及び凸レンズ面５５１、５５２、５５３、５５４、５５５、５５６、５５７、５５８、５５９は、それぞれ前記ハート型可動部５３１、５３２、５３３、５３４、５３５、５３６、５３７、５３８、５３９の往復運動の移動方向の延長線上に設けられている。発光ダイオード５４１、５４２、５４３、５４４、５４５、５４６、５４７、５４８、５４９が発光した照明光は、それぞれ凸レンズ面５５１、５５２、５５３、５５４、５５５、５５６、５５７、５５８、５５９により屈折され、それぞれ前記ハート型可動部５３１、５３２、５３３、５３４、５３５、５３６、５３７、５３８、５３９の下方に導かれる。前記ハート型可動部５３１、５３２、５３３、５３４、５３５、５３６、５３７、５３８、５３９は、透明の素材で形成されている。前記ハート型可動部５３１、５３２、５３３、５３４、５３５、５３６、５３７、５３８、５３９は、下方に導かれた照明光を上下左右及び前方に拡散して出射させる。
【００７０】
図６は、本発明に係る第１の実施形態の遊技板の上部を示す斜視図である。
図６において、覆い２１の曲面部２３から左側壁３１に位置する左上傾斜壁部６０１には透明部分６０２が設けられている。前記遊技板３００は、ベニヤ板の前面にデザイン画、図形、文字等が印刷された樹脂シートを貼り付けたものである。左上傾斜壁部６０１の上側に位置する前記遊技板３００の前面の領域３０４には、人物のデザイン画３０５、３０６が印刷により表示されている。
【００７１】
尚、第1の実施形態では、前記遊技板３００の前面の領域３０４の上側には、前記前枠１２の演出ライト１１１（ランプユニット）が前方に突出しており、遊技施設の照明器具からの照明光が届きにくい状態になっている。
【００７２】
発光ダイオード５４１、５４２、５４３、５４４を光源として前記ハート型可動部５３１、５３２、５３３、５３４により拡散された照明光は、前記覆い２１の前記透明性を有する透明部分６０２を透過して前記センター役物２の覆い２１の上側に位置する遊技板３００の領域に領域３０４されるので、簡単な構造で役物の上側に位置する遊技板３００の人物のデザイン画３０５、３０６が印刷により表示された領域３０４の照明を行うことができる。
【００７３】
図７（ａ）は、覆い２１の左上傾斜壁部本体６１１及び透明部材６２１の分解斜視図、図７（ｂ）は、覆い２１の左上傾斜壁部本体６１１及び透明部材６２１の組み立てた状態の斜視図である。
【００７４】
図７（ａ）において、覆い２１の左上傾斜壁部本体６１１は、板状の前面部６１２と、前面部６１２の上辺及び下辺から後方に延出する上側壁部６１３及び下側壁部６１４を不透明の合成樹脂を素材として金型により一体形成したものである。上側壁部６１３の後側には、前記遊技球の半径より短い幅で横長の切り欠き６１５が形成されている。左上傾斜壁部本体６１１は、前記合成樹脂の表面にニッケル、クロム等の銀色の鍍金が施され、さらにその上に半透明黄色の塗料で塗装されており、黄金色に見えるようになっている。
【００７５】
下側壁部６１４の中間部には、下側壁部６１４の前後に亘って横長の切り欠き６１６が形成されている。
上側壁部６１３の切り欠き６１５より左側には、遊技板３００（図３参照）に密着してネジ止めされる台板６１７が外周側に突出して設けられている。
【００７６】
透明部材６２１は、板状の前面部６２２と、前面部６２２の上辺及び下辺から後方に延出する上側壁部６２３及び下側壁部６２４を透明の合成樹脂を素材として金型により一体形成したものである。透明部材６２１は、左上傾斜壁部本体６１１の後ろ側から左上傾斜壁部本体６１１の前面部６１２に当該透明部材６２１の前面部６２２がネジ６３１、６３１によってネジ止めされることで、左上傾斜壁部本体６１１に取り付け固定される。
【００７７】
透明部材６２１の上側壁部６２３の上面の後側には、前記切り欠き６１５に挿入される段部６２５が形成されている。
【００７８】
透明部材６２１の下側壁部６２４は、左上傾斜壁部本体６１１の下側壁部６１４の切り欠き６１６に挿入される。
【００７９】
図７（ｂ）において、左上傾斜壁部本体６１１及び透明部材６２１の組み立てた状態では、透明部材６２１の段部６２５及び下側壁部６２４は、左上傾斜壁部６０１に設けられた透明部分６０２になる。
【００８０】
図８は、左上傾斜壁部６０１の透明部分６０２及びその周辺部の断面図である。
【００８１】
図８（ａ）において、覆い２１の左上傾斜壁部６０１の前後幅は、１９ｍｍになっている。覆い２１の外周面における前記透明性を有する透明部分６０２は、前記遊技板３００の前面から前記遊技球６５０（直径１１ｍｍ）の半径５．５ｍｍより短い位置の間に形成されている。覆い２１の外周面における透明部分６０２は、左上傾斜壁部本体６１１に比べて汚れ、傷、破損が目立ち易い。しかしながら、第１の実施形態では、前述の透明部分６０２の位置設定を行うことで、透明部分６０２に遊技球６５０が接触しないようにして、覆い２１の外周面における透明部分６０２に遊技球６５０に付着した汚れが付着したり、当該透明部分６０２が遊技球６５０により傷付けられたり、当該透明部分６０２が遊技球６５０の衝突により破損したりするのを防止している。
【００８２】
図８（ｂ）において、発光ダイオード５４１、５４２、５４３、５４４（図６参照）を光源として前記ハート型可動部５３１、５３２、５３３、５３４（図６参照）により拡散された照明光Ｌは、左上傾斜壁部６０１に設けられた透明部分６０２の下側壁部６２４を透過し、透明部材６２１の段部６２５が形成された部分を透過して覆い２１の上側に位置する遊技板３００の領域に領域３０４に照射される。
【００８３】
以上に説明した構造を纏めて説明すると、遊技板３００は、板状に形成された基材の前面に樹脂製のシート（樹脂シート）が貼り付けられて形成され、当該シートの前面の上部にデザイン画３０５、３０６が印刷され、当該シートの前面側に遊技球６５０が落下する遊技領域を有する。
左上傾斜壁部６０１は、前記遊技板３００の前面側の上部に配置して遊技球６５０を外周に流下するように誘導する上側覆いになっている。
センター役物２は、前記遊技板３００に密着してネジ止めされる台板６１７を外周に有するとともに、左上傾斜壁部６０１を有し、当該左上傾斜壁部６０１の前記デザイン画３０５、３０６に近接する部分が透明性を有する透明部分６０２で形成され、前記左上傾斜壁部６０１の前記透明部分以外の部分が不透明の部分で形成された中央構造物になっている。
発光ダイオード５４１、５４２、５４３、５４４は、前記センター役物２の前記左上傾斜壁部６０１より内側に設けられ、前記透明部分６０２に光を照射する光源になっている。
遊技機1は、前記遊技球６５０を発射する発射部と、当該発射部により発射された前記遊技球６５０を遊技板３００の手前側から見て前記遊技領域１０３の左上側に誘導するレール１０２ａ、１０２ｂとを備え、前記デザイン画３０５、３０６は前記遊技領域１０３の手前側から見た左上側に対応する前記シートの部分に印刷されている。
前記左上傾斜壁部６０１の外周面における前記透明部分６０２は、前記遊技板３００の前面から前記遊技球６５０の半径より短い位置の間に形成されている。
図柄表示部１０４は、前記遊技板３００の中央に設けられ、人物またはキャラクタの画像を表示する画像表示装置になっている。
前記センター役物２は、前記図柄表示部１０４を囲んで配置している。
前記デザイン画３０５、３０６には、前記図柄表示部１０４に表示される人物またはキャラクタが採用されている。
センター役物２は、前記発光ダイオード５４１、５４２、５４３、５４４を前記遊技板３００の手前側に向けて出射する光学構造としてそれぞれ凸レンズ面５５１、５５２、５５３、５５４及びハート型可動部５３１、５３２、５３３、５３４を有している。
前記発光ダイオード５４１、５４２、５４３、５４４が前記透明部分６０２に照射する光は、前記発光ダイオード５４１、５４２、５４３、５４４からの光の一部である。
前記発光ダイオード５４１、５４２、５４３、５４４は、印刷配線板のランプ基板５０７に実装され、当該ランプ基板５０７は、前記光源を実装した面を上方に向けた状態で前記透明部分６０２の下側に配置している。
【００８４】
以上説明した第１の実施形態によれば、前記センター役物２の前記覆い２１より内側に設けられた光源からの光が前記センター役物２の前記覆い２１の外周面における前記透明部分６０２を透過して前記センター役物２の覆い２１の上側に位置する遊技板３００の領域３０４に照射されるので、簡単な構造でセンター役物２の上側に位置する遊技板３００の領域３０４の照明を行うことができ、ここに表示される人物のデザイン画３０５、３０６の意匠効果を高めることができる。
また、前記遊技板３００の前記デザイン画３０５、３０６が表示される部分の手前は、レール１０２ａ、１０２ｂから流れ落ちる遊技球６５０が高確率で通過する経路になっており、遊技者はゲームを開始する場合この部分を高い確率で注目することになる。そこで、前記デザイン画３０５、３０６には、前記図柄表示部１０４に表示される人物またはキャラクタを採用することで、前記図柄表示部１０４により画像表示される演出内容を概要を遊技者に早期に伝達することができ、稼働率の向上に役立つ。
【００８５】
図９は、本発明に係る第２の実施形態の透明部７０２及びその周辺部を示す断面図であり、図１乃至図８に示した第１の実施形態と同様の構成要素には同じ符号を付して説明を省略している。
【００８６】
図９において、覆い７００の左上傾斜壁部７０１の前後幅は、１９ｍｍになっている。左上傾斜壁部７０１の左上傾斜壁部本体７１１は、板状の前面部７１２と、前面部の上辺及び下辺から後方に延出する上側壁部７１３及び下側壁部７１４、台板７１７を不透明の合成樹脂を素材として金型により一体形成したものである。上側壁部７１３の後側には、切り欠き７１５が形成されている。左上傾斜壁部本体７１１は、前記合成樹脂の表面にニッケル、クロム等の銀色の鍍金が施され、さらにその上に半透明黄色の塗料で塗装されており、黄金色に見えるようになっている。
【００８７】
下側壁部７１４の中間部には、下側壁部７１４の前後に亘って横長の切り欠き７１６が形成されている。
【００８８】
透明部材７２１は、板状の前面部７２２と、前面部の上辺及び下辺から後方に延出する上側壁部７２３及び下側壁部７２４を透明の合成樹脂を素材として金型により一体形成したものである。透明部材７２１は、左上傾斜壁部本体７１１の後ろ側から左上傾斜壁部本体７１１の前面部７１２に当該透明部材７２１の前面部７２２がネジ６３１によってネジ止めされることで、左上傾斜壁部本体７１１に取り付け固定される。
【００８９】
左上傾斜壁部本体７１１の台板７１７は、前後の厚さ２ｍｍになっており、覆い７０１の透明部分６０２の外周側に設けられ、遊技板３００に密着する。当該台板７１７は、前記透明部分６０２から遊技球６５０（直径１１ｍｍ）の半径５．５ｍｍより上下方向に長い位置まで形成され、前記覆い７０１の透明部分６０２は、前記台板７１７の前面から遊技球６５０の半径５．５ｍｍより短い位置の間に形成されている。
【００９０】
このような第２の実施形態では、前述の透明部７０２の位置設定を行うことで、左上傾斜壁部７０１の透明部７０２の外周側に台板７１７を設けた場合にも、第１の実施形態と同様の照明効果及び透明部７０２の汚れ、傷、破損の防止効果が得られる。
【符号の説明】
【００９１】
１……遊技機、２……センター役物、１５……ガラス扉、２１……覆い、
１０１……遊技盤、１１５……演出役物、３００……遊技板、
３０４……領域、３０５、３０６……デザイン画、５０９、５１０……駆動機構、
５１１、５１２、５１３、５１４……円柱、
５１５、５１６、５１７、５１８、５１９……円柱、
５２１、５２２、５２３、５２４……可動支持部、
５２５、５２６、５２７、５２８、５２９……可動支持部、
５３１、５３２、５３３、５３４……ハート型可動部、
５３５、５３６、５３７、５３８、５３９……ハート型可動部、
５３１、５３２、５３３、５３４……ハート型可動部、
５３５、５３６、５３７、５３８、５３９……ハート型可動部、
５４１、５４２、５４３、５４４……発光ダイオード、
５４５、５４６、５４７、５４８、５４９……発光ダイオード、
５５１、５５２、５５３、５５４……凸レンズ面、
５５５、５５６、５５７、５５８、５５９……凸レンズ面、
６０１、７０１……左上傾斜壁部、６０２、７０２……透明部、
６１１、６１１……左上傾斜壁部本体、６２１、６２１……透明部材、
６１７、７１７……台板
【図１】
2010259709.tif 000003
【図２】
2010259709.tif 000004
【図３】
2010259709.tif 000005
【図４】
2010259709.tif 000006
【図５】
2010259709.tif 000007
【図６】
2010259709.tif 000008
【図７】
2010259709.tif 000009
【図８】
2010259709.tif 000010
【図９】
2010259709.tif 000011